(57)【要約】【課題】  簡素な構造で肘掛けの着脱が可能であるとともに、肘掛けを取り外しても、デザインが損なわれることなくインテリアデザインとして充分に耐え得る肘掛け着脱自在なソファーを提供すること。【解決手段】  ソファー本体１の下面四隅の各々に、側方に持ち出すごとくブラケット敷台２を突設し、この持ち出されたブラケット敷台２上に、肘掛け３を着脱自在に連結して構成し、ブラケット敷台２には挿通孔21を開設するとともに、ソファー本体１及び肘掛け３に係止孔11ａ及び連結孔12を配設して、前記挿通孔21に適合する係着部材４でブラケット敷台２をソファー本体１または肘掛け３に固定した。【選択図】  図４
0003118720.tif 000002
【実用新案登録請求の範囲】
【請求項１】
ソファー本体１の下面四隅の各々に対し、側方に持ち出し可能なるごとくブラケット敷台２を配設して、この持ち出されたブラケット敷台２上に、肘掛け３を着脱自在に連結したことを特徴とする肘掛け着脱自在なソファー。
【請求項２】
ブラケット敷台２の上部に、ソファー本体１と肘掛け３との隣接ラインに沿った凹溝22が設けられていることを特徴とする請求項１記載の肘掛け着脱自在なソファー。
【請求項３】
ブラケット敷台２に挿通孔21が開設されているとともに、ソファー本体１及び肘掛け３に係止孔11ａ及び連結孔12が配設されて、前記挿通孔21に適合する係着部材４によりブラケット敷台２がソファー本体１または肘掛け３に固定可能であることを特徴とする請求項１または２に記載の肘掛け着脱自在なソファー。
【請求項４】
係着部材４にボルト材が用いられているとともに、ソファー本体１及び肘掛け３の底板に、前記ボルト材が係着可能な係止孔11ａ及び連結孔31が螺設されていることを特徴とする請求項３記載の肘掛け着脱自在なソファー。
【請求項５】
ソファー本体１に、内側係止孔11ｂが設けられて、肘掛け３の不使用時にブラケット敷台２を係止孔11ａ及び内側係止孔11ｂで固定可能であることを特徴とする請求項３または４に記載の肘掛け着脱自在なソファー。
【考案の詳細な説明】
【技術分野】
【０００１】
本考案は、肘掛け着脱自在なソファーの改良、詳しくは、簡素な構造で肘掛けを着脱することができ、ソファーの室内装飾性を保持可能な肘掛け着脱自在なソファーに関するものである。
【背景技術】
【０００２】
周知のとおり、最近では、ソファー本体に対し肘掛けを別部材として作製し、使用目的に応じて着脱できるようにしたソファーが多用されている。
【０００３】
そして、従来において、このようなソファーに関し、ソファー本体の座台側部にレール部材を装着するとともに、このレール部材に対する引掛け部材を肘掛け側面に取り付け、レール部材上に引掛け部材を載置した状態で止着具により固定することによって、肘掛けを着脱自在とする構造のソファーが提案されている（例えば、特許文献１参照）。
【０００４】
しかしながら、上記従来におけるソファー構造は、複雑な形態のレール部材や引掛け部材等の連結機構を必要としたことから、製造コストが嵩む要因となっていただけでなく、連結機構の故障時には、その修理や部材の取り替えを業者に依頼せねばならない等、使用者にとっても不満な点があった。
【０００５】
また、従来においては、肘掛け側面に、断面Ｌ字型の差込金具を装着するとともに、この差込金具に対しての受口金具をソファー本体の側面に取り付けて肘掛けを着脱自在にしたソファーも公知となっている（例えば、特許文献２参照）。
【０００６】
しかしながら、上記従来のソファーにおいては、肘掛けをソファー本体から取り外した際に、側面の受口金具が露出してしまい、ソファーの室内装飾性を極めて損なっていた。
【特許文献１】登録実用新案第３０６８０７９号公報（第２−７頁、第１−３図）
【特許文献２】特開平１０−２７６８６３号公報（第２−４頁、第１−６図）
【考案の開示】
【考案が解決しようとする課題】
【０００７】
本考案は、この上記の問題に鑑みてなされたものであって、その目的とするところは、簡素な構造で肘掛けの着脱が可能であるとともに、肘掛けを取り外しても、デザインが損なわれることなくインテリアデザインとして充分に耐え得る肘掛け着脱自在なソファーを提供することにある。
【課題を解決するための手段】
【０００８】
本考案者が、上記課題を解決するために採用した手段を添付図面を参照して説明すれば次のとおりである。
【０００９】
即ち、本考案は、ソファー本体１の下面四隅の各々に、側方に持ち出すごとくブラケット敷台２を突設し、この持ち出されたブラケット敷台２上に、肘掛け３を着脱自在に連結して構成した点に特徴がある。
【００１０】
また、本考案においては、上記課題を解決するために、必要に応じて上記手段に加え、ブラケット敷台２の上部に、ソファー本体１と肘掛け３との隣接ラインに沿った凹溝22を設けるという技術的手段を採用することができる。
【００１１】
また、本考案においては、上記課題を解決するために、必要に応じて上記手段に加え、ブラケット敷台２に挿通孔21を開設するとともに、ソファー本体１及び肘掛け３に係止孔11ａ及び連結孔12を配設して、前記挿通孔21に適合する係着部材４でブラケット敷台２をソファー本体１または肘掛け３に固定するという技術的手段を採用することができる。
【００１２】
また、本考案においては、上記課題を解決するために、必要に応じて上記手段に加え、係着部材４にボルト材を用いるとともに、ソファー本体１及び肘掛け３の底板に、前記ボルト材を係着する係止孔11ａ及び連結孔31を螺設してブラケット敷台２を固定可能にするという技術的手段を採用することができる。
【００１３】
また、本考案においては、上記課題を解決するために、必要に応じて上記手段に加え、ソファー本体１に内側係止孔11ｂを設けて、肘掛け３の不使用時にブラケット敷台２を係止孔11ａ及び内側係止孔11ｂで固定するという技術的手段を採用することができる。
【考案の効果】
【００１４】
本考案では、ソファー本体の底面四隅に、ブラケット敷台を配設するとともに、このブラケット敷台をソファー本体及び肘掛けの両底面に固定して、肘掛けを着脱自在に連結して構成したことにより、肘掛けの連結機構をより簡素な構造とすることができる。それによって、製造コストの低減化を行うことができ、しかも、故障時の修理または部材の取り替えが非常に容易となる。
【００１５】
また、連結機構としてブラケット敷台を用いたことから、肘掛けの有無に拘わらず、ソファーの外観が損なわれることはないため、ソファーの室内装飾性を保持することができる。
【００１６】
したがって、本考案により、製造コストを低減化できるとともに、故障時の取扱いに困ることがなく、しかも、肘掛け着脱式のソファーを室内装飾として有効に使用できる。また、本考案のソファーにおいては、肘掛けを取り外してコンパクト化できるため、運搬や狭い部屋等への搬出入が容易であり、さらには、ソファー本体及び肘掛けの一部が汚れたり損傷したりした場合に、そのパーツだけの洗浄、修理、または、買替えを行うことができる等、非常に便利であることから、実用的利用価値は頗る高いものと云える。
【考案を実施するための最良の形態】
【００１７】
本考案の実施形態を具体的に図示した図１から図５に基いて更に詳細に説明すると次のとおりである。図中、符号１で指示するものは、ソファー本体であり、符号２で指示するものは、ブラケット敷台である。なお、本実施形態では、床面に優しく、所定高さでソファー本体１を支持することができるようにブロック状の木材を採用している。次に、符号３で指示するものは、肘掛けであり、符号４で指示するものは、係着部材である。
【００１８】
次に、実施形態の構成を以下から説明する。まず、肘掛け３の不使用時においては、ソファー本体１の下面四隅に対し、両端に挿通孔21ａ・21ｂが開設されたブラケット敷台２を、挿通孔21の口径に適合する係着部材４を使用して固定する（図１、図２参照）。
【００１９】
この際、例えば、ソファー本体１の底板に、係止孔11ａを螺設するとともに、係着部材４としてボルト材を用い、これらに螺着してブラケット敷台２を固定することができる。なお、本実施形態では、ソファー本体１に内側係止孔11ｂを設けて、肘掛け３の不使用時に係止孔11ａ及び内側係止孔11ｂにブラケット敷台２を安定的に固定できるようにするとともに、内側係止孔11ｂで肘掛け連結時に用いる係着部材４を収容して、係着部材４の紛失を防いでいる。
【００２０】
そして、肘掛け３を使用する場合には、係着部材４を外してブラケット敷台２を側方に持ち出した後、一方の挿通孔21ａと係止孔11ａとでブラケット敷台２を係着して、ブラケット敷台２をソファー本体１から突き出した状態に固定する（図３参照）。
【００２１】
さらに、ブラケット敷台２が側方に持ち出した後、ブラケット敷台２のソファー本体１から突き出した部分と肘掛け３下面とを接続して、ソファー本体１と肘掛け３とを連結可能に構成した（図４、図５参照）。なお、ソファー本体１と同様に、肘掛け３においても底板に連結孔31を螺設し、この連結孔31と未使用の挿通孔21ｂとを利用してブラケット敷台２を固定できるようにした。
【００２２】
上記のように構成したことによって、肘掛け３の連結機構をより簡素な構造とすることができる。また、肘掛け３の有無に拘わらず、ブラケット敷台２によりソファーの外観が損なわれることはないため、ソファーの室内装飾性を保持できる。
【００２３】
また、本実施形態においては、ブラケット敷台２の上部に、ソファー本体１と肘掛け３との隣接ラインに沿った凹溝22を設けた。これにより、ソファー本体１や肘掛け３の底面とブラケット敷台２との間にソファーカバーＣの端縁が挟み込まれて、ソファーがガタついたり、カバーが傷んだりするような事態を回避できる。
【００２４】
また、本考案は、概ね上記のように構成されるが、図示の実施形態に限定されるものではなく、「実用新案登録請求の範囲」の記載内において種々の変更が可能であって、例えば、ブラケット敷台２は、ソファーを支持できる一定の硬度を有してさえいれば、木材でなくとも金属材料や合成樹脂材料を採用してもよく、また、形態もブロック状でなく板状であっても構わない。
【００２５】
また、係着部材４にボルト材でなくダボ状棒材を用いるとともに、ソファー本体１及び肘掛け３の底面にその嵌合孔を穿設して、ソファー本体１及び肘掛け３とブラケット敷台２とを接続できるようにしてもよい。
【００２６】
そしてまた、ソファー本体１の係止孔11ａ及び肘掛け３の連結孔31の数や配置に関しても必要に応じて変更してよく、何れも本考案の技術的範囲に属する。
【産業上の利用可能性】
【００２７】
最近では、ソファー形態のフレキシブル性が重要視され、形状や機能が異なる肘掛けを使用者が選択することにより、多様なデザインや用途に対応できるソファーが望まれている。ところが、従来における肘掛けの着脱構造は、複雑なものばかりで、製造業者及び使用者共に満足できるものではなかった。しかも、肘掛けの取外し時にソファーの室内装飾性が損なわれてしまうものも多く、このことは、現状におけるソファーの装飾的価値観を考慮すると致命的な欠陥であった。
【００２８】
そのような中で、本考案の肘掛け着脱自在なソファーは、簡素な肘掛けの連結構造と優れた室内装飾性とを兼ね備えていることから、上記の不満を払拭できるソファーであることは間違いなく、本考案の産業上の利用価値は非常に高いと云える。
【図面の簡単な説明】
【００２９】
【図１】本考案の実施形態における肘掛けを使わない状態におけるソファー本体を表わす全体斜視図である。
【図２】本考案の実施形態におけるソファー本体に対するブラケット敷台の固定状態を表わす説明断面図である。
【図３】本考案の実施形態におけるブラケット敷台の移動状態を表わす部分斜視図である。
【図４】本考案の実施形態における肘掛けを取り付けた際のソファーを表わす部分斜視図である。
【図５】本考案の実施形態におけるソファー本体と肘掛けの連結状態を表わす説明断面図である。
【符号の説明】
【００３０】
１  ソファー本体
11ａ  係止孔
11ｂ  内側係止孔
２  ブラケット敷台
21  挿通孔
22  凹溝
３  肘掛け
31  連結孔
４  係着部材
Ｃ  ソファーカバー
【図１】
0003118720.tif 000003
【図２】
0003118720.tif 000004
【図３】
0003118720.tif 000005
【図４】
0003118720.tif 000006
【図５】
0003118720.tif 000007